(57)【要約】【課題】  加熱することなく製造でき、高いチクソトロピック特性を有し、製品安定性が高く、優れた透明性を有することがある、油性成分を含有する水系のチクソトロピー性組成物を提供することである。【解決手段】  チクソトロピー性組成物は、以下に示す成分（Ａ）〜（Ｅ）を必須として含む。（Ａ）油性成分（Ｂ）硫酸エステル型アニオン性界面活性剤およびスルホン酸型アニオン性界面活性剤から選ばれた少なくとも１種のアニオン性界面活性剤（Ｃ）非イオン性界面活性剤（Ｄ）層状粘土鉱物（Ｅ）水【選択図】図１
2007051261.tif 000002
【特許請求の範囲】
【請求項１】
以下に示す成分（Ａ）〜（Ｅ）を必須として含む、チクソトロピー性組成物。
（Ａ）油性成分
（Ｂ）硫酸エステル型アニオン性界面活性剤およびスルホン酸型アニオン性界面活性剤から選ばれた少なくとも１種のアニオン性界面活性剤
（Ｃ）非イオン性界面活性剤
（Ｄ）層状粘土鉱物
（Ｅ）水
【請求項２】
透明性を有する、請求項１に記載のチクソトロピー性組成物。
【請求項３】
前記成分（Ｄ）がスメクタイト型親水性層状粘土鉱物である、請求項１または２に記載のチクソトロピー性組成物。
【請求項４】
前記成分（Ｃ）がその１重量％水溶液の曇点が２０℃以上である、請求項１〜３のいずれかに記載のチクソトロピー性組成物。
【請求項５】
前記成分（Ａ）の重量割合が組成物全体の０．５〜１０重量％、前記成分（Ｄ）の重量割合が組成物全体の０．１〜５重量％、前記成分（Ｅ）の重量割合が組成物全体の５０重量％以上であり、
前記成分（Ｂ）および成分（Ｃ）の合計重量が、前記成分（Ａ）の重量の１〜１０倍量であり、成分（Ｂ）／成分（Ｃ）が、１０／９０〜７０／３０（重量比）を満足し、
前記成分（Ｃ）がその１重量％水溶液の曇点が２０℃以上である、請求項１〜４のいずれかに記載のチクソトロピー性組成物。
【請求項６】
前記成分（Ａ）が、芳香成分、農薬成分、忌避成分、消臭成分、防虫成分、殺虫成分、除菌成分および洗浄成分から選ばれた少なくとも１種の成分を含む、請求項１〜５のいずれかに記載のチクソトロピー性組成物。
【請求項７】
以下に示す成分（Ｆ）をさらに含む、請求項１〜６のいずれかに記載のチクソトロピー性組成物。
（Ｆ）水溶性有機溶剤
【発明の詳細な説明】
【技術分野】
【０００１】  本発明は、チクソトロピー性組成物に関する。より詳しくは、加熱することなく製造でき、高いチクソトロピック特性を有し、製品安定性が高く、優れた透明性を有することがある、油性成分を含有する水系のチクソトロピー性組成物に関する。
【背景技術】
【０００２】  現在、トイレタリー商品として芳香剤等の製品が数多く流通している。芳香剤の商品形態は各種あるが、ゲル状芳香剤は芳香臭を周囲に漂わせるゲル状組成物であり、容器から内容物が漏れ出たり、脱落しにくくしたり、あるいは特徴的な外観にして商品価値を高めた製品であり、多数販売されている。【０００３】  ゲル状芳香剤は、通常、油性成分である芳香成分を固定化するために、たとえば、カラギーナン、寒天等の天然高分子（多糖類）等のゲル化剤が用いられており、近年、これらに代わるものとしてビニルアルコール系、アクリル系の合成高分子が使用されている。【０００４】  上記天然高分子を用いたゲル状芳香剤はチクソトロピー性を示さず、しかも、天然高分子の凝固温度が高いために、芳香成分等の揮発性添加剤の一部が揮散・蒸発してしまうという問題点を有していた。たとえば、カラギーナンをゲル化させるためには、８０℃以上の温度が必要であるので、一部の芳香成分が揮散することは避けられない。【０００５】この揮散の問題を解決する方法についても種々検討されている。たとえば、特許文献１にはその一例が開示されているが、それでも油性成分の配合には５０℃程度の温度が必要であり、問題が十分に解決されたとは言えない。また、ただ単に各種成分を加熱せずに混合しただけでは、継粉ができたり、透明でなかったりする。
【特許文献１】特開昭６４−７４２３９号公報
【０００６】一方、ビニルアルコール系、アクリル系の合成高分子をゲル化剤として用いる場合は、天然高分子と同様にチクソトロピー性を示さない。しかも、合成高分子では、特許文献１に記載されているように、ゲル化剤として使用する場合には５〜３０重量％もの多量の添加が必要であるために、他の物性に影響が出る。たとえば、ゲル状芳香剤を調製するために合成高分子を多量に用いた場合、使用後の残渣が多く、外観が劣り商品価値が低下する。【０００７】  また、これらのゲル化剤に共通する事項であるが、油性成分をイオン性界面活性剤で可溶化し、さらにゲル状にする場合、濁りを生じたり、ゲル構造が崩壊して液状となったりすることがある。油性成分をイオン性界面活性剤と非イオン性界面活性剤とを併用して可溶化する方法は有用であるにもかかわらず、上記の問題があるために、ゲル状にする方法としては有利とは言えない。【０００８】  特許文献２には、チクソトロピー性を示し、油性成分を含有する組成物の製造方法が開示されている。この製造方法は、カチオン性界面活性剤を含有する液状又はゲル状組成物に対してスメクタイトなどの粘土鉱物を配合する際、粘土鉱物以外の液状又はゲル状組成物用成分を水に乳化、分散又は可溶化した後、水に粘土鉱物と非イオン性高分子物質を混合・分散させた配合物を添加することを特徴とする方法である。
【特許文献２】特開２０００−１５９６３６号公報
【０００９】  しかしながら、この製造方法では、カチオン性界面活性剤は熱的あるいは経時的に黄変することが多く、特に４０℃程度以上の温度下で黄変する頻度が高い。【００１０】  チクソトロピー性を付与することにより、容器から出にくく（脱落しにくく）したり、容器から取り出す際の液跳ね等を防止できる。したがって、チクソトロピー性に優れ、油性成分を含んだ組成物に対する市場ニーズはあるものの、現実には、実用に耐える組成物はないのが現状であり、このような組成物の開発が望まれている。【００１１】  また、油性成分を含む水系組成物の場合、経時あるいは温度変化により油性成分が分離することがある。これは製品安定性が不良であるためで、製品安定性を高めた組成物に関する種々の検討がこれまでになされている。
【発明の開示】
【発明が解決しようとする課題】
【００１２】  そこで、本発明が解決しようとする課題は、加熱することなく製造でき、高いチクソトロピック特性を有し、製品安定性が高く、優れた透明性を有することがある、油性成分を含有する水系のチクソトロピー性組成物を提供することである。
【課題を解決するための手段】
【００１３】  本発明者らは、上記課題を解決するために鋭意検討した結果、油性成分と特定界面活性剤と層状粘土鉱物と水とを含有する組成物であれば、加熱することなく製造でき、高いチクソトロピック特性を有し、製品安定性が良いことを見出し、本発明に到達した。【００１４】  すなわち、本発明にかかるチクソトロピー性組成物は、以下に示す成分（Ａ）〜（Ｅ）を必須として含む。
（Ａ）油性成分
（Ｂ）硫酸エステル型アニオン性界面活性剤およびスルホン酸型アニオン性界面活性剤から選ばれた少なくとも１種のアニオン性界面活性剤
（Ｃ）非イオン性界面活性剤
（Ｄ）層状粘土鉱物
（Ｅ）水
【発明の効果】
【００１５】  本発明のチクソトロピー性組成物は、加熱することなく製造でき、高いチクソトロピック特性を有し、製品安定性が高く、優れた透明性を有することがある。この組成物は、高いチクソトロピック特性を有するので、高粘度流体やゲル状外観を呈することもでき、また、ゲル状外観を有するものに衝撃や外力の付与、震盪等することによって、流動化させることもできる。【００１６】  本発明のチクソトロピー性組成物は、たとえば、芳香剤、農薬、忌避剤、消臭剤、防虫剤、殺虫剤、除菌剤、洗浄剤等に使用される。
【発明を実施するための最良の形態】
【００１７】  以下、本発明について詳しく説明するが、本発明の範囲はこれらの説明に拘束されることはなく、以下の開示以外についても、本発明の趣旨を損なわない範囲で適宜変更実施できる。【００１８】  本発明のチクソトロピー性組成物は成分（Ａ）〜（Ｅ）を必須として含み、さらに成分（Ｆ）を含んでいてもよい。以下、チクソトロピー性組成物を構成する成分（Ａ）〜（Ｆ）を詳しく説明した後、チクソトロピー性組成物およびその製造方法等について詳述する。【００１９】［成分（Ａ）］
成分（Ａ）は油性成分であり、液体および固体のいずれでもよいが、液体が好ましい。油性成分とは、水に不溶性または難溶性の可燃性の物質を意味し、油性成分は実質的に水に溶けない成分である。なお、本発明における難溶性とは、室温、特に２０℃近辺において、濃度が約０．５重量％の水溶液を調製しようとしても溶けない状態を意味する。【００２０】  油性成分としては、たとえば、植物抽出油、配合香料、天然香料、合成香料、精油、テルペン類等の芳香成分；ミネラルオイル；脂肪族炭化水素油；芳香族炭化水素油；エステル油；アミド化合物等を挙げることができる。これらの油性成分は、１種または２種以上を併用してもよい。【００２１】  芳香成分としては、具体的には、ラベンダーオイル、オレンジオイル、レモンオイル、薔薇抽出油、ライムオイル、ヒノキ抽出油、ハーブ抽出油等の植物抽出油；ローズ、シトラス、レモン、コーヒー、アプリコット、フローラル、ピーチ等の、種々の成分を人工的に配合することによりそれに似せた香気を与えた配合香料；樟脳白油、ヒノキ精油、テレビン油、ユーカリ油、薄荷油等の精油；ｐ−メンタジエン、ｄ−リモネン、ｐ−メンタン、ターピネオール、リナロール、テルピニルアセテート、ジヒドロターピネオール、ジヒドロターピニルアセテート、ミルテナール、ミルテノール、ペリラアルデヒド、ローズオキサイド、ボルネオール、カンフル、カルベオール、カルボンオキサイド、カルビルアセテート、カリオフィレン、シネオール、シトロネラール、シトロネロール、サイメン、サイメン−８−オール、ジヒドロカルベオール、ジヒドロカルボン、ジヒドロカルビルアセテート、リモネンオキサイド、フラノイド、ピラノイド、メントン、メンチルアセテート、ミルテナール、ミルテノール、ミルテニルアセテート、ペリリルアルコール、ペリリルアセテート、ピネン、ピネンオキサイド、ゲラニオール、酢酸イソアミル、アミルシンナミックアルデヒド、メントール、アンスラニル酸メチル等のテルペン類芳香成分等を挙げることができる。【００２２】  ミネラルオイルとしては、具体的には、流動パラフィン、軽油、スピンドル油等を挙げることができる。【００２３】  脂肪族炭化水素油としては、具体的には、ヘキサン、ヘプタン、イソオクタン、オクタンなどが、芳香族炭化水素油としてはトルエン、キシレン等を挙げることができる。【００２４】  エステル油としては、具体的には、パルミチン酸イソプロピル、ミリスチン酸イソプロピル、ラウリン酸メチル、パルミチン酸オクチル、パルミチン酸−２−エチルヘキシル、パルミチン酸−２−エチルヘキシル、ミリスチン酸イソステアリル、ミリスチン酸イソセチル、ミリスチン酸イソトリデシル、ミリスチン酸オクチルドデシル、ミリスチン酸セチル、ミリスチン酸デシル、ミリスチン酸ブチル、オレイン酸オクチルドデシル、オレイン酸イソデシル、オレイン酸エチル、乳酸ブチル等を挙げることができる。【００２５】  アミド化合物としては、具体的には、Ｎ，Ｎ−ジエチルトルアミド等を挙げることができる。【００２６】  油性成分は、上記で説明した芳香成分、農薬成分、忌避成分、消臭成分、除菌成分および洗浄成分から選ばれた少なくとも１種の成分であると好ましい���【００２７】  ここでいう、芳香成分とは、香料、精油、植物抽出油、テルペン類等の香気を発する成分を意味する。農薬成分とは、作物、植物に直接使用する薬剤の薬効成分であり、殺虫、殺菌、除草、植物成長調整等の各種効果を与える成分を意味する。忌避成分とは、人間にとって有害もしくは不快な昆虫、節足動物、軟体動物、犬、猫などの動物等に対し作用させる成分で、これらの昆虫や動物が嫌う成分であり、人間の活動範囲からこれらの昆虫や動物等の侵入を防止する成分を意味する。消臭成分とは不快な臭気を吸収、分解、反応等の作用することにより、臭気を無くする成分を意味する。除菌成分は物品に付着した菌を除去する成分を意味する。洗浄成分とは汚れを除去する成分を意味するが、水に易溶性の界面活性剤等は除外される。水に難溶の界面活性剤、汚れを溶かし出す溶剤等の油性成分がここでいう洗浄成分に相当する。【００２８】［成分（Ｂ）］
成分（Ｂ）は、硫酸エステル型アニオン性界面活性剤およびスルホン酸型アニオン性界面活性剤から選ばれた少なくとも１種のアニオン性界面活性剤である。アニオン性界面活性剤は、非イオン性界面活性剤（成分（Ｃ））と併用することによって、油性成分を広い温度範囲（たとえば、５〜４０℃の範囲）にわたって可溶化し、本発明のチクソトロピー性組成物に優れた透明性を与える。【００２９】  これらのアニオン性界面活性剤としては、具体的には、アルキルベンゼンスルホン酸塩、α−オレフィンスルホン酸塩、アルキル（またはアルケニル）硫酸エステル塩、ポリオキシエチレンアルキル（またはアルケニル）エーテル硫酸エステル塩、アシルメチルタウリン酸塩、ジアルキル（またはアルケニル）スルホコハク酸塩、アシルイセチオン酸塩等を挙げることができる。アニオン性界面活性剤としては、ポリオキシエチレンアルキルエーテル硫酸エステル塩、ジアルキルスルホコハク酸塩等がさらに好ましい。これらのアニオン性界面活性剤は、１種または２種以上を併用してもよい。なお、ここでアニオン性界面活性剤が塩の場合は、アルカリ金属塩および／またはトリエタノールアミン塩を示す。また、アニオン性界面活性剤中に含まれるアルキル基、アルケニル基、アシル基の有機基は、直鎖構造でも分岐構造でもよい。アルキル基、アシル基の炭素数は特に限定はないが、８〜１８が好ましい。【００３０】  カルボン酸型や燐酸型のアニオン性界面活性剤では、広い温度範囲にわたって油性成分を可溶化させるとは必ずしも限らない。しかしながら、本発明においては、カルボン酸型や燐酸型アニオン性界面活性剤を完全に排除するものではなく、その他成分として含有してもよい場合もある。【００３１】［成分（Ｃ）］
成分（Ｃ）は、非イオン性界面活性剤であり、アニオン性界面活性剤（成分（Ｂ））と併用することによって、油性成分を広い温度範囲（たとえば、５〜４０℃の範囲）にわたって可溶化し、本発明のチクソトロピー性組成物に優れた透明性を与える。【００３２】  非イオン性界面活性剤については特に限定はない。非イオン性界面活性剤としては、具体的には、ポリオキシアルキレンエーテル類、ポリオキシアルキレンひまし油類、ポリオキシアルキレンソルビタン脂肪酸エステル類、ポリグリセリン脂肪酸エステル類、ポリオキシアルキレングリセリン脂肪酸エステル類、ポリオキシアルキレンアミノエーテル類、ポリオキシアルキレンアリールエーテル類、ポリオキシアルキレンフェニルエーテル、脂肪酸ポリオキシアルキレンソルビット、ポリオキシアルキレンスチレン化フェニルエーテル類、ポリオキシアルキレン脂肪酸アルカノールアミド類等を挙げることができる。これらの非イオン性界面活性剤は、１種または２種以上を併用してもよい。非イオン性界面活性剤としては、ポリオキシアルキレンエーテル類、ポリオキシアルキレンひまし油類、ポリオキシアルキレンソルビタン脂肪酸エステル類、ポリオキシアルキレンアミノエーテル類、ポリオキシアルキレンフェニルエーテル、ポリオキシアルキレン脂肪酸アルカノールアミド類が好ましく、ポリオキシアルキレンエーテル類、ポリオキシアルキレンひまし油類、ポリオキシアルキレンフェニルエーテルがさらに好ましい。なお、好ましい実施形態としては、特に限定はされないが、ポリオキシアルキレンエーテル類とポリオキシアルキレンひまし油類を用い、その重量比が３０／７０〜７０／３０であることが好ましい。【００３３】  ポリオキシアルキレンエーテル類とは、ポリオキシアルキレンアルキルエーテル類およびポリオキシアルキレンアルケニルエーテル類を意味する。その具体例としては、たとえば、ポリオキシエチレンラウリルエーテル、ポリオキシエチレンミリスチルエーテル、ポリオキシエチレンセチルエーテル、ポリオキシエチレンオレイルエーテル、ポリオキシエチレンデシルエーテル、ポリオキシエチレンオクチルエーテル、ポリオキシエチレンイソドデシルエーテル、ポリオキシエチレンイソテトラデシルエーテル、ポリオキシエチレンイソセチルエーテル、ポリオキシエチレンイソデシルエーテル、ポリオキシエチレンイソオクチルエーテル、ポリオキシエチレン−２−エチルヘキシルエーテル、ポリオキシエチレン第２級アルキル（Ｃ１２〜１４）エーテル、ポリオキシエチレン第２級アルキル（Ｃ１０〜１２）エーテル、ポリオキシエチレンポリオキシプロピレンラウリルエーテル、ポリオキシエチレンポリオキシプロピレンミリスチルエーテル、ポリオキシエチレンポリオキシプロピレンセチルエーテル、ポリオキシエチレンポリオキシプロピレンオレイルエーテル、ポリオキシエチレンポリオキシプロピレンデシルエーテル、ポリオキシエチレンポリオキシプロピレンオクチルエーテル、ポリオキシエチレンポリオキシプロピレンイソドデシルエーテル、ポリオキシエチレンポリオキシプロピレンイソテトラデシルエーテル、ポリオキシエチレンポリオキシプロピレンイソセチルエーテル、ポリオキシエチレンポリオ��シプロピレンイソデシルエーテル、ポリオキシエチレンポリオキシプロピレンイソオクチルエーテル、ポリオキシエチレンポリオキシプロピレン−２−エチルヘキシルエーテル、ポリオキシエチレンポリオキシプロピレン第２級アルキル（Ｃ１２〜１４）エーテル、ポリオキシエチレンポリオキシプロピレン第２級アルキル（Ｃ１０〜１２）エーテル等を挙げることができる。なお、上記例示において括弧で示した部分は、その直前に記載したアルキル基の炭素数を示す。これらのポリオキシアルキレンエーテル類は、１種または２種以上を併用してもよい。【００３４】  ポリオキシアルキレンエーテル類中のポリオキシアルキレン基の種類については、特に限定はないが、ポリオキシエチレン基および／またはポリオキシプロピレン基が好ましい。なお、ポリオキシアルキレン基として、たとえば、ポリオキシプロピレンより炭素数が多い、ポリオキシブチレン基や他の長鎖ポリオキシアルキレン基が導入された場合には、疎水性が高くなって十分な効果は得られないことがある。また、これらポリオキシアルキレン基は、通常、アルキレンオキサイドの付加反応によって導入されるが、アルキレンオキサイドを２種類以上使用する場合、その重合様式については、ブロック重合、ランダム重合、交互重合のいずれの様式であってもよく、これらの重合様式が混合されていてもよい。以下に示す非イオン性界面活性剤中のポリオキシアルキレン基についても、同様である。【００３５】  ポリオキシアルキレンひまし油類は、たとえば、ひまし油および／または硬化ひまし油にアルキレンオキサイドを反応させて得られる非イオン性界面活性剤である。硬化ひまし油の硬化度については、特に限定はなく、完全に硬化（水素添加）されたものでもよく、部分的に硬化されたものでもよい。ポリオキシアルキレンひまし油類としては、具体的には、ポリオキシエチレンひまし油、ポリオキシエチレン硬化ひまし油、ポリオキシエチレンポリオキシプロピレンひまし油、ポリオキシエチレンポリオキシプロピレン硬化ひまし油等を挙げることができる。これらのポリオキシアルキレンひまし油類は、１種または２種以上を併用してもよい。【００３６】  ポリオキシアルキレンソルビタン脂肪酸エステル類は、たとえば、脂肪酸とソルビタンとのエステルにアルキレンオキサイドを反応させて得られる非イオン性界面活性剤である。ポリオキシアルキレンソルビタン脂肪酸エステル類としては、具体的には、ポリオキシエチレンソルビタンラウレート、ポリオキシエチレンソルビタンココエート、ポリオキシエチレンソルビタンカプレート、ポリオキシエチレンポリオキシプロピレンソルビタンラウレート、ポリオキシエチレンポリオキシプロピレンソルビタンココエート、ポリオキシエチレンポリオキシプロピレンソルビタンカプレート等を挙げることができる。これらのポリオキシアルキレンソルビタン脂肪酸エステル類は、１種または２種以上を併用してもよい。【００３７】  ポリグリセリン脂肪酸エステル類は、たとえば、ポリグリセリンと脂肪酸とを反応させて得られる非イオン性界面活性剤である。ポリグリセリン脂肪酸エステル類としては、具体的には、デカグリセリンラウレート、デカグリセリンココエート、デカグリセリンカプレート、ヘキサグリセリンカプレート、ヘキサグリセリンラウレート、ヘキサグリセリンココエート等を挙げることができる。これらのポリグリセリン脂肪酸エステル類は、１種または２種以上を併用してもよい。【００３８】  ポリオキシアルキレングリセリン脂肪酸エステル類は、たとえば、グリセリン、脂肪酸、アルキレンオキサイドを反応させて得られる非イオン性界面活性剤である。ポリオキシアルキレングリセリン脂肪酸エステル類としては、具体的には、ポリオキシエチレングリセリンラウレート、ポリオキシエチレングリセリンココエート、ポリオキシエチレングリセリンカプレート、ポリオキシエチレンポリオキシプロピレングリセリンラウレート、ポリオキシエチレンポリオキシプロピレングリセリンココエート、ポリオキシエチレンポリオキシプロピレングリセリンカプレート等を挙げることができる。これらのポリオキシアルキレングリセリン脂肪酸エステル類は、１種または２種以上を併用してもよい。【００３９】  ポリオキシアルキレンアミノエーテル類は、ポリオキシアルキレンアルキルアミノエーテル類およびポリオキシアルキレンアルケニルアミノエーテル類を意味し、たとえば、アルキルアミンまたはアルケニルアミンとアルキレンオキサイドとを反応させて得られる非イオン性界面活性剤である。ポリオキシアルキレンアミノエーテル類としては、具体的には、ポリオキシエチレンラウリルアミノエーテル、ポリオキシエチレンミリスチルアミノエーテル、ポリオキシエチレンセチルアミノエーテル、ポリオキシエチレンオレイルアミノエーテル、ポリオキシエチレンデシルアミノエーテル、ポリオキシエチレンオクチルアミノエーテル、ポリオキシエチレンイソドデシルアミノエーテル、ポリオキシエチレンイソテトラデシルアミノエーテル、ポリオキシエチレンイソセチルアミノエーテル、ポリオキシエチレンイソデシルアミノエーテル、ポリオキシエチレンイソオクチルアミノエーテル、ポリオキシエチレン−２−エチルヘキシルアミノエーテル、ポリオキシエチレンポリオキシプロピレンラウリルアミノエーテル、ポリオキシエチレンポリオキシプロピレンミリスチルアミノエーテル、ポリオキシエチレンポリオキシプロピレンセチルアミノエーテル、ポリオキシエチレンポリオキシプロピレンオレイルアミノエーテル、ポリオキシエチレンポリオキシプロピレンデシルアミノエーテル、ポリオキシエチレンポリオキシプロピレンオクチルアミノエーテル、ポリオキシエチレンポリオキシプロピレンイソドデシルアミノエーテル、ポリオキシエチレンポリオキシプロピレンイソテトラデシルアミノエーテル、ポリオキシエチレンポリオキシプロピレンイソセチルアミノエーテル、ポリオキシエチレンポリオキシプロピレンイソデシルアミノエーテル、ポリオキシエチレンポリオキシプロピレンイソオクチルアミノエーテル、ポリオキシエチレンポリオキシプロピレン−２−エチルヘキシルアミノエーテル等を挙げることができる。これらのポリオキシアルキレンアミノエーテル類は、１種または２種以上を併用してもよい。【００４０】  ポリオキシアルキレンアリールエーテル類は、ポリオキシアルキレンアルキルアリールエーテル類およびポリオキシアルキレンアルケニルアリールエーテル類を意味し、その具体例としては、たとえば、ポリオキシエチレンノニルフェニルエーテル、ポリオキシエチレンオクチルフェニルエーテル、ポリオキシエチレンポリオキシプロピレンノニルフェニルエーテル、ポリオキシエチレンポリオキシプロピレンオクチルフェニルエーテル等を挙げることができる。これらのポリオキシアルキレンアリールエーテル類は、１種または２種以上を併用してもよい。【００４１】  脂肪酸ポリオキシアルキレンソルビットとしては、具体的には、オレイン酸ポリオキシエチレンソルビント、ラウリン酸ポリオキシエチレンソルビット、ヤシ油脂肪酸ポリオキシエチレンソルビット等を挙げることができる。そのエステル化度は任意に設定でき、限定はない。これらの脂肪酸ポリオキシアルキレンソルビットは、１種または２種以上を併用してもよい。【００４２】  ポリオキシアルキレンスチレン化フェニルエーテルとしては、具体的には、ポリオキシエチレンジスチレン化フェニルエーテル、ポリオキシエチレントリスチレン化フェニルエーテル、ポリオキシエチレンポリオキシプロピレンジスチレン化フェニルエーテル、ポリオキシエチレンポリオキシプロピレントリスチレン化フェニルエーテル等を挙げることができる。これらのポリオキシアルキレンスチレン化フェニルエーテルは、１種または２種以上を併用してもよい。【００４３】  ポリオキシアルキレン脂肪酸アルカノールアミド類は、たとえば、脂肪酸とアルカノールアミンから合成される脂肪酸アルカノールアミドと、アルキレンオキサイドとの反応生成物である。その具体例としては、ポリオキシエチレンラウリン酸モノエタノールアミド、ポリオキシエチレンヤシ油脂肪酸モノエタノールアミド、ポリオキシエチレンカプリン酸モノエタノールアミド、ポリオキシエチレンミリスチン酸モノエタノールアミド、ポリオキシエチレンラウリン酸モノイソプロパノールアミド、ポリオキシエチレンヤシ油脂肪酸モノイソプロパノールアミド、ポリオキシエチレンカプリン酸モノイソプロパノールアミド、ポリオキシエチレンミリスチン酸モノイソプロパノールアミド、ポリオキシエチレンラウリン酸ジエタノールアミド、ポリオキシエチレンヤシ油脂肪酸ジエタノールアミド、ポリオキシエチレンカプリン酸ジエタノールアミド、ポリオキシエチレンミリスチン酸ジエタノールアミド、ポリオキシエチレンラウリン酸ジイソプロパノールアミド、ポリオキシエチレンヤシ油脂肪酸ジイソプロパノールアミド、ポリオキシエチレンカプリン酸ジイソプロパノールアミド、ポリオキシエチレンミリスチン酸ジイソプロパノールアミド、ポリオキシエチレンポリオキシプロピレンラウリン酸モノエタノールアミド、ポリオキシエチレンポリオキシプロピレンヤシ油脂肪酸モノエタノールアミド、ポリオキシエチレンポリオキシプロピレンカプリン酸モノエタノールアミド、ポリオキシエチレンポリオキシプロピレンミリスチン酸モノエタノールアミド、ポリオキシエチレンポリオキシプロピレンラウリン酸モノイソプロパノールアミド、ポリオキシエチレンポリオキシプロピレンヤシ油脂肪酸モノイソプロパノールアミド、ポリオキシエチレンポリオキシプロピレンカプリン酸モノイソプロパノールアミド、ポリオキシエチレンポリオキシプロピレンミリスチン酸モノイソプロパノールアミド、ポリオキシエチレンポリオキシプロピレンラウリン酸ジエタノールアミド、ポリオキシエチレンポリオキシプロピレンヤシ油脂肪酸ジエタノールアミド、ポリオキシエチレンポリオキシプロピレンカプリン酸ジエタノールアミド、ポリオキシエチレンポリオキシプロピレンミリスチン酸ジエタノールアミド、ポリオキシエチレンポリオキシプロピレンラウリン酸ジイソプロパノールアミド、ポリオキシエチレンポリオキシプロピレンヤシ油脂肪酸ジイソプロパノールアミド、ポリオキシエチレンポリオキシプロピレンカプリン酸ジイソプロパノールアミド、ポリオキシエチレンポリオキシプロピレンミリスチン酸ジイソプロパノールアミド等を挙げることができる。ポリオキシアルキレン脂肪酸アルカノールアミド類は上記で例示した化合物に限定はされず、適宜有用なものを利用できる。ポリオキシアルキレン脂肪酸アルカノールアミド類中の脂肪酸残基としては、特に限定されないが、炭素数８〜２２の脂肪酸残基であることが好ましく、さらに好ましくは炭素数８〜１４の脂肪酸残基、特に好ましくは炭素数１０〜１２の脂肪酸残基である。また、ポリオキシアルキレン脂肪酸アルカノールアミド類中のアルカノールアミン残基についても特に限定されないが、モノエタノールアミン残基、ジエタノールアミン残基、モノイソプロパノール残基、ジイソプロパノールアミン残基等が好ましい。これらのポリオキシアルキレン脂肪酸アルカノールアミド類は、１種または２種以上を併用してもよい。【００４４】  上記非イオン性界面活性剤は、チクソトロピー性組成物が透明な状態を保持するためには、界面活性剤自体の本質的性質により、その１重量％水溶液の曇点が２０℃以上であることが好ましく、さらに好ましくは２５℃以上、特に好ましくは２８℃以上である。【００４５】  なお、本発明において曇点とは、界面活性剤の１重量％水溶液を徐々に加熱した場合に、水溶液が白濁する温度をいう。具体的には、内径１５ｍｍ、長さ１８０ｍｍのガラス製試験管に１０ｍＬの該水溶液を添加し、さらに温度計を試験管の器壁に触れないように該水溶液の中央に配置し、温度計の端部が水溶液内に浸かるように固定する。次いで、この試験管を１Ｌの水を入れた容量１Ｌのビーカーに入れ、ビーカーの器壁に触れないように取り付け、ビーカー内の水を攪拌しながら徐々に加熱する。水溶液が濁る温度を読み取って曇点とする。ここで、ビーカー内の水の温度が（予想した）曇点より十分低い場合には、２℃／分の昇温速度となるように加熱を調整し、（予想した）曇点の約１０℃低い温度に達した後は、０．２℃／分の昇温速度となるように加熱を調整する。【００４６】［成分（Ｄ）］
成分（Ｄ）は、層状粘土鉱物であり、加熱することなくチクソトロピー性組成物の製造を可能にする成分である。また、この層状粘土鉱物は、チクソトロピー性組成物に高いチクソトロピック特性を付与する成分である。
本発明において、チクソトロピー性およびチクソトロピック特性とは、等温状態において変形のために見かけ粘度が一時的に低下する性質をいい、詳しくは、流動速度やずり応力の増加とともに流動抵抗（見かけ粘性）が減少し、ずり応力を減少させると粘性は回復するが、元通りになるのに時間がかかり、流動性にヒステリシスが認められる現象を与える性質をいう。具体的に例示するならば、粘度を測定する際に用いられる粘度計の測定条件によって示される粘度に違いが現れる性質である。すなわち、例えるならば、Ｂ型粘度計のようにローターを試料中で回転させて、ローターにかかるシェア圧を測定することによって示される粘度は、チクソトロピック特性を有する試料中ではローターの回転速度によって異なって示され、低回転速度の時では粘度は高く、高回転速度の時には粘度は低く示される。本報実施例中では、６ｒｐｍで測定した時の粘度（Ｙ）と６０ｒｐｍで測定した時の粘度（Ｚ）の比（Ｙ）／（Ｚ）をもって、チクソトロピック特性の評価とした。すなわち、（Ｙ）／（Ｚ）が大きいほど、チクソトロピック特性が良好であると評価した。【００４７】  層状粘土鉱物については、特に限定はないが、具体的には、スメクタイト、ラポナイト、モンモリロナイト、ベントナイト等の親水性層状粘土鉱物等を挙げることができる。【００４８】  成分（Ｄ）が組成物にチクソトロピック特性を付与するが、組成物の外観にも大きな影響を与える。合成スメクタイトやラポナイトの如く、組成物に透明な外観を与えるものもあるが、一方、ベントナイトの如く不透明外観を与えるものもある。外観に透明性を求める場合にはスメクタイトやラポナイトが適する。【００４９】  スメクタイトとは、モンモリロナイト群などといわれてきた鉱物群の族名であり、１９５５年、英国の粘土鉱物グループ命名小委員会で分類、命名された。スメクタイトは層状粘土鉱物の一種で、２枚の四面体層の間に八面体層が挟まれた２：１型の層状構造を形成しており、より詳しくは、ケイ酸の４面体構造が頂点を共有してつながった２枚のシート状の構造体が、残りの頂点を互いに内側に向けて８面体配位をとるイオンにより結合したケイ酸塩層とアルカリあるいはアルカリ土類金属イオンとそれに配位した分子からなる層間が互いに層状につながった構造を有している。また、親水性層状粘土鉱物とは、本発明において、多量の水に投入した場合に、膨潤、分散、溶解等する性質を意味する。【００５０】  上記親水性層状粘土鉱物としては、本発明のチクソトロピー性組成物に高いチクソトロピック特性と優れた透明性とを付与することから、スメクタイト型親水性層状粘土鉱物が好ましい。スメクタイト型親水性層状粘土鉱物は、天然に産するものでも良く、合成されたものでも良い。またこれらを精製して不純物を取り除いたものが好ましい。合成されたスメクタイト型親水性層状粘土鉱物が品質の安定性の観点から特に好ましい。【００５１】［成分（Ｅ）］
成分（Ｅ）は水であり、この水中で油性成分（成分（Ａ））がアニオン性界面活性剤（成分（Ｂ））および非イオン性界面活性剤（成分（Ｃ））によって可溶化され、本発明のチクソトロピー性組成物は透明性を示すようになる。水は、水道水、イオン交換水、蒸留水、精製水、湧水等のいずれでもよく、これら以外でもよい。【００５２】［成分（Ｆ）］
成分（Ｆ）は水溶性有機溶剤である。本発明のチクソトロピー性組成物は、高いチクソトロピック特性を有し、高い粘性あるいはゲル状外観を有するが、製造途中にゲル化を起こすと製造上のハンドリング性が悪くなることがある。すなわち、製造途中のゲル化は避けた方が好ましい。水溶性有機溶剤は、アニオン性界面活性剤（成分（Ｂ））および非イオン性界面活性剤（成分（Ｃ）と水（成分（Ｅ））とが混合される際に形成するゲル状物を軟化させて、ハンドリング性を向上させる。また、油性成分（成分（Ａ））の可溶化の際に、ハイドロトロープ効果を与え、可溶化を安定化させ、可溶化力を向上させる。【００５３】  水溶性有機溶剤としては、具体的には、プロピレングリコール、１，３−ブチレングリコール、１，４−ブチレングリコール、エチレングリコール、エタノール、メタノール、プロパノール、３−メトキシ−３−メチル−１−ブタノール、メチルセルソルブ、エチルソセルソルブ、プロピルセルソルブ、ブチルセルソルブ、ジエチレングリコール、ジプロピレングリコール、ジエチレングリコールメチルエーテル、ジエチレングリコールエチルエーテル、ジエチレングリコールブチルエーテル、ジエチレングリコールプロピルエーテル、ジエチレングリコールジメチルエーテル、ジエチレングリコールジエチルエーテル等を挙げることができる。これらの水溶性有機溶剤は、１種または２種以上を併用してもよい。【００５４】［チクソトロピー性組成物］
本発明にかかるチクソトロピー性組成物は、上記で説明した成分（Ａ）〜（Ｅ）を必須として含む組成物であり、さらに成分（Ｆ）を含んでいてもよい。【００５５】  前記成分（Ａ）の重量割合については特に限定はないが、成分（Ａ）が多すぎると、成分（Ｃ）および成分（Ｂ）を併用することによって、本発明のチクソトロピー性組成物にある程度は透明性を与えるが、満足な透明性を与えなくなる点や、油性成分が少ないと、本発明のチクソトロピー性組成物に期待される本質的物性が発現せず、商品価値が低下する可能性がある点（たとえば、成分（Ａ）が芳香成分の場合には香気不足の問題が生じるおそれがあり、また、忌避成分の場合には十分な忌避効果が得られないおそれがあること）とのバランスを考慮すると、好ましくは組成物全体の０．５〜１０重量％、さらに好ましくは０．５〜５重量％である。【００５６】  前記成分（Ｄ）の重量割合については特に限定はないが、本発明のチクソトロピー性組成物のチクソトロピック特性と透明性とのバランスを考慮すると、好ましくは組成物全体の０．１〜５重量％、さらに好ましくは０．５〜２重量％である。【００５７】  前記成分（Ｅ）の重量割合については特に限定はないが、層状粘土鉱物が親水性の場合、より膨潤、分散、溶解しやすくなる点から、好ましくは５０重量％以上、さらに好ましくは８０重量％以上であり、特に好ましくは８５重量％以上である。【００５８】  前記成分（Ｂ）および成分（Ｃ）の合計重量については特に限定はないが、成分（Ａ）が多すぎると、成分（Ｃ）および成分（Ｂ）を併用することによって、本発明のチクソトロピー性組成物にある程度は透明性を与えるが、満足な透明性を与えなくなる点や、油性成分が少ないと、本発明のチクソトロピー性組成物に期待される本質的物性が発現せず、商品価値が低下する可能性がある点（たとえば、成分（Ａ）が芳香成分の場合には香気不足の問題が生じるおそれがあり、また、忌避成分の場合には十分な忌避効果が得られないおそれがあること）とのバランスを考慮すると、好ましくは成分（Ａ）の重量の１〜１０倍量であり、さらに好ましくは２〜５倍量、特に好ましくは２〜４倍量である。【００５９】  前記成分（Ｂ）および成分（Ｃ）の比率（成分（Ｂ）／成分（Ｃ）、重量比）については特に限定はないが、本発明のチクソトロピー性組成物の透明性を高温でも維持し、成分（Ｄ）の量にかかわらず、透明性が得られる点から、好ましくは１０／９０〜７０／３０の範囲であり、さらに好ましくは１５／８５〜５０／５０の範囲、特に好ましくは１５／８５〜３５／６５の範囲にある。【００６０】  上記配合条件等を満足することによって、本発明の組成物は、油性成分が水に可溶化された状態となる。可溶化とは、界面活性剤により油性成分が水に透明に溶けたように見える状態にすることであり、詳しくは、界面活性剤の作用により、水中で油性成分と界面活性剤が微小なミセルを形成し、ミセルが十分に小さいために溶けて見える状態にすることである。可溶化は熱力学的に安定な系であり、油性成分の分離防止に効果的である。また、透明外観にすることにより、製品に付加価値をもたせるという利点も得られる。【００６１】  本発明のチクソトロピー���組成物が透明性を有する組成物であると、好ましい。本発明における「透明性を有すること」とは、完全に透明である必要はなく、透明性を有し、容器の反対側が透けて見える状態をいう。具体的には、胴径３５ｍｍ、全長７８ｍｍ、容量５０ｍｌのガラス円筒容器（（株）マルエム製、スクリュービン、Ｎｏ．７）に試料を入れ、太さ約２５ｍｍの黒マジック文字、印刷文字を記した紙を容器の直近外側に配置し、容器の反対側からその文字を見た場合に、その文字の判読できる状態をいう。ここでいう、直近外側とは、ガラス円筒容器の外側で０〜３ｃｍの地点を指す。【００６２】  本発明のチクソトロピー性組成物は、層状粘土鉱物の添加量を加減することによって組成物の粘度を調整し、ゲル状外観を持たせることもでき、また、流動性を持たせることもできる。前者の場合、内容物が容器から出にくくし、特徴的な外観で商品価値を高めることができる。また、後者の場合、流動性を持たせて、ハンドリング性を調整することもできる。たとえば、組成物の粘度が低すぎて液跳ねする場合は、層状粘土鉱物の添加量を増加して粘度を上げ、液跳ねを防止することができる。同様に、洗浄剤の液だれを防止できる。【００６３】  本発明のチクソトロピー性組成物は、チクソトロピック特性を有することから、延びが良いという特徴や、高粘度であっても細管を流れるという特徴がある。
本発明のチクソトロピー性組成物において、上述の成分以外の他の成分を、物性を損なわない範囲で含有してもよい。そのような成分としては、たとえば、抗菌剤、防腐剤、色素、染料、消泡剤、粘度調整剤、増粘剤、保湿剤、上記以外の界面活性剤等を挙げることができる。これらの成分は１種または２種以上を併用してもよい。【００６４】  本発明のチクソトロピー性組成物は、場合によっては、一部に離水（ゲル状に固められた組成物から水または可溶化物が漏れ出す現象）を生じることがある。離水の問題は、たとえば、増粘剤を併用することにより解決することができる。【００６５】［チクソトロピー性組成物の製造方法］
本発明のチクソトロピー性組成物の製造方法としては、たとえば、上記で説明した成分（Ａ）〜（Ｅ）または成分（Ａ）〜（Ｆ）を、適宜、混合する方法を挙げることができる。各成分を混合する順序等については特に限定はない。また、一部の成分を予め混合しておいてその混合物を別の混合物または成分と混合してもよく、このような混合操作を繰り返してもよい。この方法の個々の工程において、製造途中の組成物を加熱してもよいが、得られるチクソトロピー性組成物の外観については、大抵の場合、加熱の有無による差異は見られない。むしろ、成分（Ａ）が香料等の揮発性化合物の場合は、加熱によって揮発性化合物が揮散損失するおそれがあるので、加熱しない方がむしろ好ましい。これに対して、背景技術で詳述した天然高分子を用いたゲル状芳香剤では、ゲル化させるために、たとえば８０℃以上の加熱が必須であるので、成分（Ａ）の揮散は避けられないという欠点がある。【００６６】  本発明のチクソトロピー性組成物の製造方法としては、成分（Ｂ）および成分（Ｃ）を用い、適宜、成分（Ｆ）をさらに用いて、成分（Ａ）を成分（Ｅ）に可溶化する工程（可溶化工程）と、前記工程後または前記工程中に得られた混合物に、成分（Ｄ）を添加する工程（添加工程）とを含む製造方法が好ましい。【００６７】  可溶化工程は、油相と水相を混合し、成分（Ａ）を成分（Ｅ）に可溶化させるのであるが、油相には成分（Ａ）の他に成分（Ｂ）および成分（Ｃ）、成分（Ｆ）等を含むことができる。また、水相には成分（Ｅ）の他に成分（Ｂ）および成分（Ｃ）、成分（Ｆ）等を含むことができる。すなわち、成分（Ｂ）および成分（Ｃ）、成分（Ｆ）は、油相、水相のいずれに添加しておいても良い。また、他の成分を配合する場合、いずれの相に対しても任意に配合することができ、また可溶化させた後に別に添加しても良い。【００６８】  添加工程は、可溶化工程後または可溶化工程中に得られた混合物に、成分（Ｄ）を添加する工程であるが、好ましくは可溶化工程後に、成分（Ｄ）は添加される。その場合は、成分（Ｄ）が可溶化されたミセルを均一に吸収するため、好ましい。【００６９】［製品安定性］
これまでの説明によって得られる組成物は製品安定性が良い。「製品安定性が良い」とは、組成物が調製直後と保存後とを比較した場合、外観、物性などに変化がみられないこと、あるいは変化が少ないことを意味する。外観や物性に変化が現れては、商品価値がない。本発明における組成物の場合、成分（Ａ）を成分（Ｅ）に可溶化することにより水系組成物中に油性成分を含有させる訳であるが、成分（Ａ）は成分（Ｂ）および成分（Ｃ）の作用により成分（Ｅ）に可溶化される。そして成分（Ｄ）によりチクソトロピック特性を付与されるわけであるが、製品安定性を良くするには、可溶化が成分（Ｄ）により不安定化されないこと、可溶化物が成分（Ｄ）と親和性不良で分離しないこと、本質的に可溶化が安定であること等が必須である。これらを満足させるためには成分（Ｂ）および成分（Ｃ）の役割が重要であり、必須である。特に詳述された範囲の使用量、使用比率が適しており、好ましい。また、成分（Ｆ）はハンドリングの向上の他に、ハイドロトロープ効果もあり、安定性の向上に寄与すると考えられる。
【実施例】
【００７０】  以下に、本発明を実施例および比較例を示して具体的に説明する。本発明はこれら実施例に限定されるものではない。【００７１】［実施例１〜４］
各実施例において、まず、それぞれ、表１に示す各成分を所定量準備し、以下の製造方法で各組成物を調製した。
油性成分（成分（Ａ））、アニオン性界面活性剤（成分（Ｂ））、非イオン性界面活性剤（成分（Ｃ））および水溶性有機溶剤（成分（Ｆ））を混合、攪拌しながら、全量が１００重量部になるように水（成分（Ｅ））をゆっくりと加えた。油性成分が均一に水へ可溶化されたことを確認し、強く攪拌を続けながら、スメクタイト型親水性層状粘土鉱物（成分（Ｄ））を少量ずつ加えた。さらに３０分間にわたって強く攪拌を続けて、十分にスメクタイト型親水性層状粘土鉱物を分散、膨潤、溶解させた後、一昼夜静置して組成物を得た。なお、この間、固体である非イオン性界面活性剤を所定量配合するために加熱、融解したが、加熱はこれ以外には行わず、各成分を混合し、組成物を調製する際は加熱しなかった。【００７２】  成分（Ｃ）の１重量％水溶液の曇点は、ＰＯＥ（９）第２級アルキル（Ｃ１２〜１４）エーテルでは５６℃、ＰＯＥ（６０）硬化ひまし油では９５℃以上であった。
得られたそれぞれの組成物について、以下１〜４の物性評価を行った。これら評価結果を表１に併記した。【００７３】１．チクソトロピー性の評価
Ｂ型粘度計を用いて、組成物のチクソトロピー性の評価を行った。ローターの種類を一定にし、回転数（回転速度）を変化させ、組成物の粘度を測定した。６ｒｐｍの時の粘度を（Ｙ）ｍＰａ・ｓ、６０ｒｐｍの時の粘度を（Ｚ）ｍＰａ・ｓとした時、下記の評価基準（甲〜丙）に基づいてチクソトロピー性を評価した。なお、ローターの種類は各試料により適切なものを選定した。
甲：（Ｙ）／（Ｚ）≧５
乙：２＜（Ｙ）／（Ｚ）＜５
丙：（Ｙ）／（Ｚ）≦２【００７４】２．製品安定性の評価
組成物を各温度で保存し、１ヵ月後の状態を観察した。観察結果を下記の評価基準（Ｉ〜ＩＩＩ）に基づいて、製品安定性を評価した。
Ｉ：試験開始時と１ヶ月保存後の外観に差がない。
ＩＩ：１ヶ月保存後に、粘度の低下を確認した。
ＩＩＩ：試験開始時には透明であったものが濁った。あるいは層状粘土鉱物またはゲル化剤が分離した。【００７５】３．透明性の評価
得られた組成物を、５℃、室温、４０℃のそれぞれの温度で、ガラス円筒容器（胴径３５ｍｍ、全長７８ｍｍ、容量５０ｍｌ、（株）マルエム製、スクリュービン、Ｎｏ．７）中で３日間保存した。下記の評価基準（○〜×）に基づいて透明性を評価した。
○：透明性あり。
△：透明性なし。
×：均一な組成物とならず、分離した。【００７６】４．外観流動状態の評価
上記透明性の評価を行った後、組成物の入った容器を倒立させて、下記の評価基準（Ａ〜Ｃ）に基づいて外観流動状態を評価した。
Ａ：ゲル状で、容器を倒立させても５分以上流動しない。
Ｂ：ゲル状であるが、容器を倒立させて５分以内に流動する。
Ｃ：流動する。【００７７】  図１は、実施例１の組成物を室温で３日間保存後に容器を倒立させた写真である。実施例１の組成物には、透明性があり、背後の文字が透けて判読可能であった。実施例２〜４についても同様の透明性であった。但し、実施例２の香料は黄色であるために、組成物も黄色で着色していたが、背後の文字が透けて、判読可能であった。
表１および図１から明らかなように、加熱することなく調製した実施例１〜４の各組成物は、広い温度範囲にわたり、チクソトロピック特性と透明性と有し、ゲル状外観で、製品安定性が良好であった。【００７８】［比較例１〜４および実施例５〜６］
各比較例および実施例において、それぞれ、表２に示す各成分を所定量準備し、実施例１の製造方法と同様にして、組成物を調製し、物性評価した。これら評価結果を表２に併記した。
比較例１〜３では、成分（Ｄ）として、それぞれ層状粘土鉱物ではない代表的なゲル化剤であるカラギーナン（２重量部）、ジェランガム（２重量部）、カラギーナン（１重量部）を使用した。【００７９】  実施例５および６では、成分（Ｄ）として、それぞれ層状粘土鉱物であるラポナイト、ベントナイトを使用した。
比較例４では、層状粘土鉱物としてスメクタイトを使用したが、アニオン性界面活性剤を使用しなかった。
図２は、比較例１の組成物を室温で３日間保存後に容器を倒立させた写真である。比較例１では、透明性が不足しており、背後の文字が透けては見えなかった。【００８０】  表２および図２から明らかなように、比較例１〜３の組成物では、チクソトロピック特性がなく、調製時に加熱しなかった場合は、大抵の場合、透明性もさほどでもない。また比較例４の組成物では、製品安定性が不良であった。【００８１】
【表１】
2007051261.tif 000003
※：ケープケミカル（株）製「ルーセンタイトＳＷＦ」
１）表１の成分名で、「ＰＯＥ」は「ポリオキシエチレン」を表す。以下の表についても同様。
２）表１の成分名で、括弧内に示した数字は、その直前が「ＰＯＥ」であればエチレンオキサイドの平均重合度を示す。また、括弧内に示したＣと数字は、その直前のアルキル基を構成する炭素の数を示す。以下の表についても同様。【００８２】
【表２】
2007051261.tif 000004
【図面の簡単な説明】
【００８３】
【図１】実施例１の組成物を室温で３日間保存後に容器を倒立させた写真である。
【図２】比較例１の組成物を室温で３日間保存後に容器を倒立させた写真である。
【図１】
2007051261.tif 000005
【図２】
2007051261.tif 000006